(57)【要約】【課題】購入ＣＤの利用環境においてコピー防止機能が有効かどうかをＷｅｂサイトから確認するコピー防止機能の確認方法を提案する。【解決手段】マルチセッション式としたＣＤを再生したときに、第２セッションのリードイン領域内に設定した効果判断用情報により書き換えられる対象となっている第１セッションのトラック情報を、専用プログラムによりコンピュータに読み出すとともに該情報から当該ＣＤのコピー防止効果を判断し、この判断結果をインターネットを介して確認できるようにする。【選択図】  図２
2006019013.tif 000002
【特許請求の範囲】
【請求項１】
第１セッションと第２セッションとからなるマルチセッション式としたＣＤの利用環境におけるコピー防止機能確認方法であって、
当該ＣＤを再生装置にかけたときに、前記第２セッションのリードイン領域内に設定した効果判断用情報により書き換えられる対象となっている前記第１セッションのトラック情報を、専用プログラムによりコンピュータに読み出すとともに該情報から当該ＣＤのコピー防止効果を判断し、この判断結果をインターネットを介して確認できるようにしたことを特徴とするコピー防止機能確認方法。
【請求項２】
第１セッションと第２セッションとからなるマルチセッション式としたＣＤの利用環境におけるコピー防止機能確認方法であって、
当該ＣＤの再生時に、専用プログラムにより、前記第２セッションのリードイン領域内に設定した効果判断用情報により書き換えられる対象となっている前記第１セッションのトラック情報を読み出すとともに該情報から当該ＣＤのコピー防止効果を判断したコンピュータに対し、インターネットを介して通信可能なＷｅｂサイトを設け、該Ｗｅｂサイトにて前記判断結果を確認するようにしたことを特徴とするコピー防止機能確認方法。
【請求項３】
トラック情報を読み出す専用プログラムを当該ＣＤのプログラム記録領域に記録した請求項１又は請求項２記載のコピー防止機能確認方法。
【請求項４】
請求項１〜３のいずれか１項に記載のコピー防止機能確認方法のためのＣＤであって、第１セッションと第２セッションとからなるマルチセッション式とされ、その第２セッションのリードイン領域内に、前記第１セッションの所定のトラック情報を書き換えるように効果判断用情報を設定したことを特徴とするＣＤ。
【発明の詳細な説明】
【技術分野】
【０００１】
本発明は、ＣＤ（コンパクトディスク）のコピー防止機能がコンピュータとＣＤ−ＲＯＭドライブ等の再生装置により決まる利用環境に対し有効かどうかを確認する方法に関する。
【背景技術】
【０００２】
最近になって、音楽ＣＤのコピーコントロールが話題になっているが、そのコピー防止方法として本願発明者は先に、特願２００１−２８２９４９、特願２００２−１７７１１５のような手法を提案している。しかしながら一方で、このようなコピー防止機能は、当該ＣＤの購入者にとっては何のメリットもないものである。
【０００３】
そこで、コピー防止ＣＤの普及のために、コピー防止ＣＤの購入者に対し、所定のＷｅｂサイトからインターネット経由で特典を与えようという動きが出てきている。たとえば、正規にＣＤを購入した者に対しては、コンテンツバンクを用意して、その中から所望の情報、すなわち音楽、映像、ブロマイド等をインターネットから暗号化してダウンロードできるようにする、などのサービスである。
【発明の開示】
【発明が解決しようとする課題】
【０００４】
上記特願２００２−１７７１１５に開示したマルチセッション式のコピー防止ＣＤの場合、パソコンの仕様あるいはＣＤ−ＲＯＭドライブ等の再生装置の仕様によってコピー防止効果に差が出ることが判明している。すなわち、再生装置の制御系によっては、第１セッションで読み込んだリードイン領域の情報を第２セッションのリードイン領域の情報で上書きするリライト仕様ではなく、第１セッションのトラック情報に関しては第２セッションのリードイン情報を無視するノン−リライト仕様のものもあり、後者の場合、コピー防止機能が働かない可能性が出てくる。この場合に特典サービスを提供可能にするのは公平ではない。
【０００５】
このため、上記のような特典サービスを行うにあたっては、購入者のパソコンがどちらの仕様をもったものであるか利用環境をチェックするシステムが必要と考えられる。しかし、これに対する有効な手段はないのが現状である。
【０００６】
以上の背景に鑑みて本発明では、購入ＣＤの利用環境においてコピー防止機能が有効かどうかをＷｅｂサイトから確認するコピー防止機能の確認方法を提案するものである。
【課題を解決するための手段】
【０００７】
そのようなコピー防止効力を確認する方法として本発明では、第１セッション（たとえばオーディオセッション）と第２セッション（たとえばデータセッション）とからなるマルチセッション式としたＣＤについて、その第２セッションのリードイン領域内に、第１セッションの所定のトラック情報を書き換えるように効果判断用情報を設定することを特徴としたＣＤのコピー防止機能確認方法を提案する。
【０００８】
たとえば、第１セッションの所定のトラック情報として第１トラックの情報について、当該第１トラックのデータ量（第１トラックの開始から後続の第２トラックの開始までの差）を極端に少ない値に書き換えるような情報を効果判断用情報として、第２セッションのリードイン領域内に設定しておくと、当該ＣＤを再生装置にかけたときに、その効果判断用情報により書き換えられるはずの第１セッションの第１トラック情報を専用プログラムによりコンピュータに読み出すとともに該情報からコピー防止効果を判断し、この判断結果をインターネット経由で確認することで、仕様を確認することが可能となる。すなわち、第１セッションの第１トラックのデータ量が正常なままであれば、第２セッションの効果判断用情報により書き換えられていないことになり、当該再生装置はノン−リライト仕様と判断でき、逆にデータ量が異常値になっていれば、第２セッションの効果判断用情報により書き換えられていることになり、リライト仕様であると判断することができる。つまり本発明によれば、当該ＣＤの再生時に、専用プログラムにより、第２セッションのリードイン領域内に設定した効果判断用情報により書き換えられる対象となっている第１セッションのトラック情報を読み出すとともに該情報から当該ＣＤのコピー防止効果を判断したコンピュータに対し、インターネットを介して通信可能なＷｅｂサイトを設け、該Ｗｅｂサイトにて判断結果を確認することができるようになる。
【０００９】
そのコピー防止機能判断用の専用プログラムは、当該ＣＤのいずれかのセッションにおけるプログラム記録領域に記録しておき、再生装置へＣＤを入れると読み出されてプログラムが立ち上がるものとしておく。
【発明の効果】
【００１０】
本発明によれば、ＣＤ購入者のもつパソコンや再生装置による利用環境について、購入ＣＤのコピー防止機能が有効かどうかをＷｅｂサイトから確認することもできるようになり、コピーコントロールの有効性をいっそう確実なものとすることに貢献する。
【発明を実施するための最良の形態】
【００１１】
本発明の実施に際しては、プログラム記録領域（音楽データ等の記録領域）をリードイン領域とリードアウト領域で挟んでなるセッションをもつＣＤのそのリードアウト領域に、識別情報（文字、数字、記号等）を記録し、当該ＣＤを再生装置にかけたときに識別情報を読み出す専用プログラムがコンピュータにおいて立ち上がり、これにより読み出された識別情報をインターネットを介して確認できるようにする購入ＣＤの確認方法、あるいは、プログラム記録領域をリードイン領域とリードアウト領域で挟んでなるセッションをもち且つそのリードアウト領域に識別情報を記録したＣＤの再生時に専用プログラムにより識別情報を読み出したコンピュータに対し、インターネットを介して通信可能なＷｅｂサイトを設け、該Ｗｅｂサイトにて、読み出された識別情報を確認するようにした購入ＣＤの確認方法を利用することができる。
【００１２】
ＣＤのリードアウト領域は、通常は情報をまったく入れない場所であり、リードイン領域のＴＯＣに登録されることはなく、パソコン等のコンピュータがデータを読みに行くことは考えられていない。したがって、通常のパソコンが識別情報を読むことはできず、識別情報をコピーすることはできない。この識別情報を読み出す専用プログラムは、パソコンのＯＳに組み込むようなものでもよいが、ＣＤに記録しておいて、当該ＣＤを再生装置に入れるとこれが読み出されてプログラムが立ち上がるものとしておくのがよい。ＣＤがマルチセッション式の場合、識別情報は、そのセッションのいずれかに入れるようにしても、すべてに入れるようにしてもよい。
【００１３】
このようなＣＤは、特願２００１−２８２９４９又は特願２００２−１７７１１５に開示のコピー防止ＣＤとすることができる。そして、特願２００１−２８２９４９の場合の音楽ＣＤの生産システムとしては、音楽ソースからＥＦＭ信号を生成するフォーマッタと、このフォーマッタから出力されるＥＦＭ信号を受け取ってコピー防止加工を施すコピー防止加工手段と、このコピー防止加工手段から出力される加工後のＥＦＭ信号に従いスタンパーを作成するレーザー露光器と、を少なくとも備え、そのコピー防止加工手段が、ＥＦＭ信号を受信してサブコードを読み取るためのサブコードリードユニットと、このサブコードリードユニットを経た後のＥＦＭ信号を所定時間遅延させるディレイユニットと、このディレイユニットを経た後のＥＦＭ信号を受信してサブコードを書き換えるためのサブコードライトユニットと、ＥＦＭ信号を受信したサブコードリードユニットからサブコードを読み取ってＱチャネルコードを抽出するリードプロセッサと、その抽出されたＱチャネルコード中の該当箇所を変更するコンピュータと、リードプロセッサが読み取ったサブコードに、コンピュータによる変更後のＱチャネルコードを組み込み、このサブコードをサブコードライトユニットへ送って該サブコードライトユニットに受信されているＥＦＭ信号のサブコードを書き換えるライトプロセッサと、サブコードライトユニットからＥＦＭ信号を受信し、該ＥＦＭ信号中のリードアウト部分に、コンピュータから出力される識別情報を挿入するリードアウトデータ書換ユニットと、からなる生産システムとすることができる。
【００１４】
また、特願２００２−１７７１１５の場合の音楽ＣＤの生産システムとしては、オーディオセッション、データセッションを構成するデータからＥＦＭ信号を生成するマルチセッション対応のフォーマッタと、このフォーマッタから出力されるＥＦＭ信号を受け取ってコピー防止加工を施すコピー防止加工手段と、このコピー防止加工手段から出力される加工後のＥＦＭ信号に従いスタンパーを作成するレーザー露光器と、を少なくとも備え、そのコピー防止加工手段が、ＥＦＭ信号を受信してサブコードを読み取るためのサブコードリードユニットと、このサブコードリードユニットを経た後のＥＦＭ信号を所定時間遅延させるディレイユニットと、このディレイユニットを経た後のＥＦＭ信号を受信してサブコードを書き換えるためのサブコードライトユニットと、ＥＦＭ信号を受信したサブコードリードユニットからサブコードを読み取ってチャネルコードを抽出するリードプロセッサと、その抽出されたチャネルコード中の該当箇所を変更するコンピュータと、リードプロセッサが読み取ったサブコードに、コンピュータによる変更後のチャネルコードを組み込み、このサブコードをサブコードライトユニットへ送って該サブコードライトユニットに受信されているＥＦＭ信号のサブコードを書き換えるライトプロセッサと、サブコードライトユニットからＥＦＭ信号を受信し、該ＥＦＭ信号中のリードアウト部分に、コンピュータから出力される識別情報を挿入するリードアウトデータ書換ユニットと、からなる生産システムとすることができる。
【００１５】
以下、特願２００２−１７７１１５に開示されたマルチセッション式のコピー防止ＣＤを例にして、本発明の一実施形態を説明する。
【００１６】
本例の場合、第１セッションがオーディオセッション、第２セッションがデータセッションとされる。そのオーディオセッションには、ヘッドホンステレオ等で再生可能な通常の音楽ＣＤと同じオーディオデータが記録され、一方、データセッションには、ソフトウエアプログラム等のデジタルデータが記録される。そして、本例でも特願２００２−１７７１１５と同様に、音楽ソースからのオーディオデータがオーディオセッションに記録され、また、音楽ソースからのオーディオデータを圧縮した圧縮ファイルとその再生ソフトがエンコーダにより出力されてデータセッションに記録される。さらに本例では、そのエンコーダが出力するデータに、リードアウト領域中の識別番号を読み出すための専用ソフト及び所定のトラック情報としてオーディオセッションの第１トラック情報を読み出すための専用ソフトが含まれ、データセッションに記録される。
【００１７】
本例のＣＤ生産ラインも特願２００２−１７７１１５と同様のもので、音楽ソースからのオーディオデータ及びエンコーダからのデータを受けてＥＦＭ信号を生成するフォーマッタ、そのＥＦＭ信号を受信してコピー防止加工を施すコピー防止加工手段、これによる加工後のＥＦＭ信号を受けてスタンパーを形成するレーザー露光器を備える。そのうち、フォーマッタやレーザー露光器は従来どおりの仕様そのままでよい。
【００１８】
コピー防止加工手段は、ＥＦＭ信号からオーディオセッション及びデータセッションのサブコードを読み出してＱチャネルコードを抽出し、また、ＥＦＭ信号のサブコード書き換えを実行するプロセッサと、抽出されたＱチャネルコードを取り込んで必要箇所を変更するコンピュータと、から構成されている。
【００１９】
本例のプロセッサ１０は、図１に示すように、ＥＦＭ信号を受信してサブコードを読み取るためのサブコードリードユニット１１と、このサブコードリードユニット１１を経た後のＥＦＭ信号を所定時間（＝少なくともＱチャネルコードの変更にかかる時間）遅延させるディレイユニット１２と、このディレイユニット１２を経た後のＥＦＭ信号を受信してサブコードを書き換えるためのサブコードライトユニット１３と、ＥＦＭ信号を受信したサブコードリードユニット１１からサブコードを読み取ってＱチャネルコードを抽出するリードプロセッサ１４と、このリードプロセッサ１４が読み取ったサブコードに、コンピュータ２０による変更後のＱチャネルコードを組み込み、このサブコードをサブコードライトユニット１３へ送って該サブコードライトユニット１３に受信されているＥＦＭ信号のサブコードを書き換えるライトプロセッサ１５と、を備える。
【００２０】
リードプロセッサ１４とライトプロセッサ１５とは共通のメモリ１６を有しており、リードプロセッサ１４に読み取られたサブコードがメモリ１６に入れられ、そして、ライトプロセッサ１５により上書きされる。この上書きされたサブコードがライトプロセッサ１５により、サブコードライトユニット１３へ送り込まれる。
【００２１】
サブコードリードユニット１１とサブコードライトユニット１３とは同構成で、サブコード読み取りのタイミングをはかるシフトレジスタから構成される。すなわち、ＥＦＭ同期を検知してＥＦＭ信号を取り込み始め、サブコード同期パターンＳ０，Ｓ１が検出されると、その後に少なくともサブコードのビット数分シフトしたところでリードプロセッサ１４の読み出し、あるいは、ライトプロセッサ１５の書き込みが行われる仕組みである。
【００２２】
リードプロセッサ１４によりメモリ１６へ読み取られたサブコードは、ＰチャネルとＱチャネルとにわけられており、そのＱチャネルコードをコンピュータ２０が取り込んで該当箇所を変更する。変更を施す該当箇所は、サブコード書き換え仕様に従って決められ、この仕様はフレキシブルディスク２１により決定される。
【００２３】
このサブコード書き換え仕様は、データセッションにおけるＴＯＣ（リードイン領域）中、オーディオセッション該当のＱチャネルをどのように変更するかを決定するものである。その変更に係る中に、本例の場合、オーディオセッションにおける第１トラック（トラック番号１番）のデータ量が含まれている。そのデータ量は、オーディオデータであれば何秒、何フレームとして表され、デジタルデータであればそれをバイト換算して表される。この第１トラック情報としてのデータ量を、非常に少ない値、たとえば１／７５秒＝１フレーム（最小で０でも可）しかないものとして効果判断用情報としておく。
【００２４】
このようにしてコンピュータ２０により変更されたＱチャネルコードは、ライトプロセッサ１５によりメモリ１６に現在記憶されているＱチャネルコードに上書きされる。そして、このＱチャネルコードを更新したサブコードがサブコードライトユニット１３へ送り込まれ、上記の処理時間分ディレイユニット１２で遅延されてシフトレジスタに入ってくるＥＦＭ信号のサブコード相当位置に書き込まれ、書き換えが実行される。
【００２５】
本例の場合、さらにこの他に、リードアウトの部分の信号に識別情報（たとえばＣＤナンバー）を挿入するリードアウトデータ書換ユニット１７が設けられている。
【００２６】
このリードアウトデータ書換ユニット１７は、コンピュータ２０から出力される識別情報のＣＤナンバー信号を内蔵のメモリに記憶し、そして、サブコードライトユニット１３から出力される加工後のＥＦＭ信号を受け、コンピュータ２０から指示されるタイミングでＥＦＭ信号中のリードアウト部分に、記憶したＣＤナンバー信号を挿入する。コンピュータ２０が指示するタイミングは、リードアウト信号開始時点から１〜５フレーム分である。
【００２７】
以上のコピー防止加工を施したＣＤを、パソコンに搭載されたＣＤ−ＲＯＭドライブ等の再生装置で再生するとき、マルチセッション式ＣＤの場合、先に第１セッションであるオーディオセッションのリードイン領域の情報が読み込まれた後、第２セッションであるデータセッションのリードイン領域の情報が読み込まれる。通常は、ＣＤにおいて第２セッションのリードイン領域にも第１セッションのトラック情報が記録されており、したがって第２セッションのリードイン情報を読み込んだ時点で、先に読み込んだ第１セッションのトラック情報を上書きして書き換えてしまうようにしてある（リライト仕様）。しかし、一部メーカー製の再生装置では、先に読み込んだ第１セッションのトラック情報を上書きせずに残しておいて、第２セッションにおけるリードイン情報の第１セッション以外の部分を追記する仕組みのものがある（ノン−リライト仕様）。
【００２８】
すなわち、たとえば第１セッションが１〜１０番トラック、第２セッションが１１〜２０番トラックという設定であったとすると、第１セッションから１〜１０番トラックの情報が読み込まれ、第２セッションからは、第１セッション分も含めて１〜２０番トラックの情報が読み込まれる。リライト仕様の場合、第２セッションのリードイン情報を読み込んだ時点で、１〜２０番トラックの全てのトラック情報を上書きで更新してしまうことになるが、ノン−リライト仕様の場合、先に読み込んだ第１セッションの１〜１０番トラックの情報は残して、第２セッションの１１〜２０番トラックの情報だけ追加するようになっている。
【００２９】
したがって、本例のＣＤが再生装置にかけられた結果、第１セッションであるオーディオセッションにおける第１トラック情報、すなわち第１トラックのデータ量が異常値、つまり非常に少ない値になっていれば、これは、第２セッションであるデータセッションの効果判断用情報で上書きされ書き換えられたものであるから、当該再生装置はリライト仕様であると判断することができ、一方、前記第１トラックのデータ量が正常値であれば、オーディオセッションのトラック情報が上書きされずに残されていることになるから、ノン−リライト仕様であると判断することができる。
【００３０】
このようなＣＤを利用したインターネットによる購入ＣＤの確認方法とその利用環境のコピー防止機能確認方法について、図２を参照して説明する。
【００３１】
本例のＣＤを購入したユーザーＵが、自分の所有するパソコンの再生装置にそのＣＤを投入すると、最初に、データセッションに記録されている上記２つの専用プログラムがパソコン上で立ち上がり、当該ＣＤのリードアウト領域に記録された識別情報（ＣＤナンバー信号）が読み出されるとともに、オーディオセッションにおける第１トラック情報が読み出され、異常値になっているかどうか判断される。このとき、第１トラック情報とともに当該再生装置のメーカー名、機種名等を一緒に出力するプログラムも可能である。
【００３２】
ユーザーＵは、ディスプレイ表示されるインフォメーションに従い、まず最初に、Ｗｅｂサーバに開設された認証チェックサイトＣＳへインターネットからアクセスし、ユーザー登録を行うことになる。この認証チェックサイトＣＳにアクセスすると、該サイトＣＳは、前記第１トラック情報（つまり効果判断用情報）による判断結果から再生装置の仕様をチェックし、リライト仕様であることが確認できた場合に限り、ユーザー登録証としてクッキー（特別な鍵）をユーザーＵのパソコンへ送り返し、保存させる。
【００３３】
これにより認証が終わった後、当該登録ユーザーＵが、ＣＤ発売元である配信会社Ｐ，Ｑ，Ｒの開設している配信サイトへアクセスすると、読み出されている識別情報とユーザー登録証として保存されたクッキーが自動的に認識され、特典エリアＳＡへ進むことができる。そして、当該エリアＳＡのコンテンツバンクにあるブロマイドや動画などをダウンロードすることが可能となる。
【図面の簡単な説明】
【００３４】
【図１】コピー防止加工手段のブロック図。
【図２】本発明のコピー防止機能確認方法について説明する概略図。
【図１】
2006019013.tif 000003
【図２】
2006019013.tif 000004